(57)【要約】【課題】  敷地の境界に打ち込んだ複数の標示杭のうちいくつかの標示杭が喪失しても、敷地の境界を簡単かつ確実に確認できるようにする。【解決手段】  標示杭(１)に内蔵した無線ＩＣタグ(７)に、敷地(Ｇ)の境界線(２)が形成する閉図形の図形情報を記録する。そして、敷地(Ｇ)の境界線(２)上の角部に、標示杭(１)(１)…を打ち込んで敷地(Ｇ)の境界を確定しておくことで、いくつかの標示杭(１)(１)が喪失しても、残っている標示杭(１)の無線ＩＣタグ(７)に記録されている閉図形の図形情報を読み取って、その閉図形と現存する標示杭(１)(１)が示す敷地(Ｇ)の境界の角部とを照らし合わせることで、境界を確認する。【選択図】  図１
2006208268.tif 000002
【特許請求の範囲】
【請求項１】
閉図形を形成する敷地の境界に沿って打ち込まれる標示杭であって、外部から非接触で各種情報の読み取りが可能な情報記録素子が内蔵され、この情報記録素子に前記閉図形の図形情報が記録されていることを特徴とする標示杭。
【請求項２】
前記情報記録素子に、前記境界に沿って打ち込まれる他のすべての標示杭の位置情報が記録されている請求項１記載の標示杭。
【請求項３】
前記情報記録素子は、パッシブ型の無線ＩＣタグからなる請求項１又は２記載の標示杭。
【請求項４】
前記境界の角部に打ち込まれる請求項１乃至３のいずれかに記載の標示杭。
【発明の詳細な説明】
【技術分野】
【０００１】
この発明は、敷地の境界を標示するための標示杭に関する。
【背景技術】
【０００２】
一般に、敷地の境界を明確にするために、敷地の境界に沿って標示杭を打ち込むことが行われている。この種の標示杭は、長期にわたって境界を明確に標示し続けることが望ましい。
【０００３】
しかしながら、標示杭は、落ち葉や雪等に覆われたり、地震や水害等の大規模災害によって地中に埋没して発見が困難になることがあり、このような場合、境界を確認する作業が非常に煩雑となり、多大な労力を要していた。
【０００４】
そこで、近年では、例えば特許文献１及び２に開示されているように、標示杭の位置情報を記録した情報記録素子を標示杭に内蔵して、読み取り装置を用いて外部から非接触で情報記録素子に記録されている情報を読み取ることができるようにした標示杭が各種提案されている。
【０００５】
このような標示杭を敷地の境界に沿って打ち込むことで、標示杭が外部から見えない状態で埋もれていても、標示杭の位置情報を読み取って境界の確認作業を簡単に行うことができる。
【０００６】
【特許文献１】特開２００１−２２９３５８号公報
【特許文献２】特開２０００−１８９４７号公報
【発明の開示】
【発明が解決しようとする課題】
【０００７】
しかしながら、従来の情報記録素子を内蔵した標示杭においては、その標示杭についてのみの位置情報が情報記録素子に記録されているだけであって、境界に沿って打ち込んだ複数の標示杭のうちのいずれかの標示杭が引き抜かれて喪失してしまうと、その喪失した標示杭の位置を把握することができず、敷地の境界を確認することが困難になるといった問題があった。
【０００８】
そこで、この発明は、上記の不具合を解消して、閉図形を形成する敷地の境界を簡単かつ確実に確認することができる標示杭の提供を目的とする。
【課題を解決するための手段】
【０００９】
上記の課題を解決するため、この発明の標示杭は、閉図形を形成する敷地の境界に沿って例えばその境界の角部に打ち込まれるものであって、外部から非接触で各種情報の読み取りが可能な情報記録素子が内蔵され、この情報記録素子に前記閉図形の図形情報が記録されていることを特徴とする。
【００１０】
また、前記情報記録素子に、前記境界に沿って打ち込まれる他のすべての標示杭の位置情報が記録されている。前記情報記録素子は、パッシブ型の無線ＩＣタグからなる。
【発明の効果】
【００１１】
この発明の標示杭を、敷地の境界の角部に夫々打ち込んで敷地の境界を確定しておくことで、それら標示杭のうちいくつかの標示杭が引き抜かれて喪失しても、残っているいずれかの標示杭の情報記録素子に記録されている閉図形の図形情報を読み取って、その閉図形と現存する標示杭が示す境界の角部とを照らし合わせることで、喪失した標示杭の打ち込み位置を把握して、境界を簡単かつ正確に確認することが可能となる。
【００１２】
また、標示杭の情報記録素子に、境界に沿って打ち込まれる他のすべての標示杭の位置情報を記録しておくと、仮に１つの標示杭を除いて他のすべての標示杭が喪失したとしても、残った標示杭の位置情報を読み取ることで、喪失した標示杭の打ち込み位置を把握して、境界を簡単かつ正確に確認することができる。
【００１３】
さらに、情報記録素子として、電源を不要としたパッシブ型の無線ＩＣタグを用いることで、電池切れ等による動作不能の心配がなく、長期にわたって境界確認作業を安定して行うことができる。
【発明を実施するための最良の形態】
【００１４】
以下、本発明の一実施形態を図面に基づいて説明する。この発明の一実施形態に係る標示杭(１)は、図１に示すように、閉図形を形成する敷地(Ｇ)の境界線(２)上の角部に打ち込まれて、その土地(Ｇ)の境界を表すものである。
【００１５】
この標示杭(１)は、図２及び図３に示すように、電波を透過する材料によって形成された杭本体(３)と、同じく電波を透過する材料によって形成され、杭本体(３)の頭部に外嵌される蓋体(４)とを備えている。
【００１６】
杭本体(３)の先端部は、先細りして尖っており、杭本体(３)の頭部には、蓋体(４)によって塞がれる上方開放の素子収容空間(６)が形成されている。そして、杭本体(３)の素子収容空間(６)内に、情報記録素子としてのパッシブ型の無線ＩＣタグ(７)が収容されている。
【００１７】
無線ＩＣタグ(７)は、図４に示すように、リーダライタ(10)とともに使用されてＲＦＩＤ（Radio Frequency Identification）システムを構築するもので、回路基板上にアンテナ(11)とＩＣチップ(12)が搭載されて、全体的に薄板状に形成されている。
【００１８】
ＩＣチップ(12)は、高周波回路等を備えた制御部(13)、各種情報を記録する記録部(14)等を備えており、記録部(14)には、地権者の氏名や住所、打ち込み年月日、その標示杭のＩＤ番号といった管理情報、その標示杭(１)の位置情報の他に、境界線(２)によって形成される閉図形の図形情報、さらには境界線(２)上の角部に打ち込まれる他のすべての標示杭(１)(１)…の位置情報が記録されている。
【００１９】
標示杭(１)の位置情報は、例えばその標示杭(１)が打ち込まれた位置の緯度、経度、標高を示す情報であり、他の標示杭(１)(１)…の位置情報は、例えばその標示杭(１)を基準としたＸ軸、Ｙ軸、Ｚ軸方向の夫々の距離を示す情報である。
【００２０】
なお、例えば図５の黒塗りで示す標示杭(１)のように、隣接する敷地(Ｇ１)(Ｇ２)(Ｇ３)の境界も表すものとして共有されている場合には、その隣接する敷地(Ｇ１)(Ｇ２)(Ｇ３)の境界における閉図形の図形情報や他の標示杭(１)(１)…の位置情報を併せて無線ＩＣタグ(７)に記録させるようにしても良い。
【００２１】
この標示杭(１)に対してリーダライタ(10)を近づけて、リーダライタ(10)のアンテナから質問波を送信すると、無線ＩＣタグ(７)のアンテナ(11)が質問波を受信する。この質問波から得られる電力及びクロック信号によって制御部(13)が記録部(14)に記録されている各種情報を読み出し、これら各種情報を応答波としてアンテナ(11)から発信する。すなわち、無線ＩＣタグ(７)は、リーダライタ(10)からの電波により電力供給を受けて各種情報を発信するようになっている。そして、リーダライタ(10)は、アンテナを通して応答波を受信する。これによって、標示杭(１)の無線ＩＣタグ(７)に記録されている各種情報を外部から非接触で読み取ることができるようになっている。
【００２２】
このように構成された標示杭(１)(１)…を、図６に示すように、閉図形を形成する敷地(Ｇ)の境界線(２)に沿ってその境界の角部に打ち込むことで、これら標示杭(１)(１)…が埋もれて見えなくなっても、リーダライタ(10)を使用して標示杭(１)(１)…の無線ＩＣタグ(７)に記録されている各種情報を読み取って、それら各種情報から敷地(Ｇ)の境界を簡単かつ正確に確認することができる。
【００２３】
しかも、例えば図７に示すように、標示杭(１)(１)…のうちいくつかの標示杭(１)(１)が引き抜かれて喪失しても、残っているいずれかの標示杭(１)(１)…の無線ＩＣタグ(７)に記録されている閉図形の図形情報を読み取って、その閉図形と現存する標示杭(１)(１)…が示す敷地(Ｇ)の境界の角部とを照らし合わせることで、喪失した標示杭(１)(１)…の打ち込み位置を把握して、境界を簡単かつ正確に確認することができ、喪失した標示杭(１)(１)…の位置に新たな標示杭(１)(１)…を打ち込んで簡単に復旧することもできる。
【００２４】
また、仮に１つの標示杭(１)を除いて他のすべての標示杭(１)(１)…が喪失したとしても、その残った標示杭(１)の無線ＩＣタグ(７)に記録されている、その標示杭(１)の位置情報、閉図形の図形情報、及び他の標示杭(１)(１)…の位置情報を読み取って、これら情報を照らし合わせることで、上記と同様に、喪失した標示杭(１)(１)…の打ち込み位置を把握して、境界を簡単かつ正確に確認することができ、喪失した標示杭(１)(１)…の位置に新たな標示杭(１)(１)…を打ち込んで簡単に復旧することもできる。
【００２５】
この発明は、上記実施形態に限定されるものではなく、この発明の範囲内で上記実施形態に多くの修正及び変更を加え得ることは勿論である。例えば、この発明の標示杭における情報記録素子は、パッシブ型の無線ＩＣタグに限らず、アクティブ型の無線ＩＣタグやその他の外部から非接触で各種情報の読み取りが可能な情報記録素子であっても良い。
【図面の簡単な説明】
【００２６】
【図１】この発明の一実施形態に係る標示杭の設置状態を示す斜視図である。
【図２】標示杭の分解斜視図である。
【図３】標示杭の素子収納空間付近の縦断面図である。
【図４】標示杭の無線ＩＣタグのブロック図である。
【図５】隣接する敷地の境界も表すものとして共有されている標示杭を示す図である。
【図６】標示杭の設置状態を示す平面図である。
【図７】数本の標示杭が喪失した状態の平面図である。
【符号の説明】
【００２７】
(Ｇ)  敷地
(１)  標示杭
(２)  境界線
(７)  情報記録素子(無線ＩＣタグ)
【図１】
2006208268.tif 000003
【図２】
2006208268.tif 000004
【図３】
2006208268.tif 000005
【図４】
2006208268.tif 000006
【図５】
2006208268.tif 000007
【図６】
2006208268.tif 000008
【図７】
2006208268.tif 000009